(57)【特許請求の範囲】
【請求項１】
扉に固着されるハンドルケースと、前記ハンドルケースに回転可能に挿通されるハンドル軸に回動軸を介して前記ハンドルケースに対して起伏回動可能に装着されるハンドルレバーと、前記ハンドルケースの背面側に前記ハンドル軸を介して回転可能に取り付けられ、ボックス本体などの固定枠体側の受け金に対して係脱可能な止め金と、前記ハンドルケースと前記ハンドルレバーとの間に設けられて、一端のリング部が前記ハンドルレバーに形成されたロック穴から前記ハンドルレバーの外部に突出されるロックリング、及び前記ロックリングのリング部に掛けて施錠可能な南京錠とを備え、扉の開閉時に前記ハンドルレバーを前記ハンドルケースから引き起こして回転操作することにより前記止め金を前記受け金に対して係脱し、扉を閉めた後は前記ハンドルレバーを前記ハンドルケース上に倒伏して収納し、前記ハンドルレバーの前記ロック穴から前記ハンドルレバーの外部に突出される前記ロックリングのリング部に前記南京錠を掛けて、前記ハンドルケースと前記ハンドルレバーとを施錠する形式の南京錠施錠式平面ハンドルにおいて、
前記ハンドルレバーの前記ロック穴は前記ロックリングの回動により前記リング部が出没可能な大きさに形成され、
前記ハンドルケースの内部に前記ハンドルケースに倒伏、収納された状態の前記ハンドルレバーのロック穴に対向して受け部が形成され、
前記ロックリングは、一端に前記リング部を有し、他端に前記ハンドルケース側の前記受け部に係止可能なフック部を有し、前記ハンドルレバーの内側面で前記ロック穴に近接する位置に軸を介して回動可能に取り付けられて、前記リング部が前記ハンドルレバーの前記ロック穴から出没可能にかつ前記フック部が前記ハンドルケースの前記受け部に係脱可能に配置されるとともに、ばね部材により常態として前記フック部が前記受け部に係合可能に前記受け部に対する係合方向に、前記リング部が前記ロック穴から前記ハンドルレバーの外部に突出可能に前記ハンドルレバーの外部に向けて、それぞれ回動付勢され、
前記ハンドルレバーを前記ハンドルケースに倒伏、収納することにより、前記ロックリングの前記フック部と前記ハンドルケース内の前記受け部とを弾性係合させて、前記ハンドルケースに倒伏、収納された状態の前記ハンドルレバーを保持するとともに、前記リング部を前記ロック穴から前記ハンドルレバーの外部に突出させて、前記リング部に前記南京錠を施錠可能とし、
この状態から前記ハンドルレバーを引き起こして回転操作するときは、前記リング部を前記ロック穴に向けて押圧することにより、前記ロックリングの前記フック部と前記ハンドルケース内の前記受け部との弾性係合を解除して、前記ロックリングを前記ハンドルケースから切り離す、
ことを特徴とする南京錠施錠式平面ハンドル。
【請求項２】
ロックリングは、略Ｌ字形に形成されて、一端にリング部が略円形のリング状に形成され、他端にフック部が略鉤形に形成される請求項１に記載の南京錠施錠式平面ハンドル。                                                                               
【発明の詳細な説明】
【技術分野】
【０００１】
本発明は、配電盤や制御盤などの機器格納用キャビネットなどに使用する南京錠施錠式平面ハンドルに関する。
【背景技術】
【０００２】
一般に平面ハンドルは、例えば特許文献１に開示されているように、扉に固着されるハンドルケースと、ハンドルケースに回転可能に挿通されるハンドル軸に回動軸を介してハンドルケースに対して起伏回動可能に装着されるハンドルレバーと、ハンドルケースの背面側にハンドル軸を介して回転可能に取り付けられ、ハンドルレバーの操作により、ボックス本体などの固定枠体側の受け金に対して係脱可能な止め金とを備え、扉の開閉時にハンドルレバーをハンドルケースから引き起こして回転操作することにより止め金を受け金に対して係脱し、扉を閉めた後はハンドルレバーをハンドルケース上に倒伏して収納する形式を採っている。
【０００３】
また、この種の平面ハンドルの施錠形式には、特許文献１に開示されているようなシリンダー錠を使用したものの他に、南京錠を用いた南京錠施錠式のものが知られている。
この南京錠施錠式の平面ハンドルでは、図５に示すように、ハンドルケース５０１の内部で下部側にロックリング５０２が突設され、これに対してハンドルレバー５０３側の下部側にロックリング５０２を挿通可能にロック穴５０４が穿設されて、ハンドルレバー５０３をハンドルケース５０１上に収納することにより、ハンドルケース５０１側のロックリング５０２がハンドルレバー５０３のロック穴５０４を通してハンドルレバー５０３の外側に突出され、この状態から、ロックリング５０２に南京錠５（のシャックル５１）を通し、南京錠５で施錠する形式になっている。
【先行技術文献】
【特許文献】
【０００４】
【特許文献１】特開２００８−１３９４９公報
【発明の概要】
【発明が解決しようとする課題】
【０００５】
しかしながら、従来の南京錠施錠式の平面ハンドルでは、ロックリングがハンドルケースに前方に向けて突設され、これが、ハンドルレバーがハンドルケース上に収納された状態で、ハンドルレバーのロック穴に通されてハンドルレバーの外側まで突出されるので、ユーザーが扉を開閉するため、ハンドルレバーを握ってこれを回す際に、ロックリングが手の指に当たって、負傷する恐れがある、という問題がある。
【０００６】
本発明は、このような従来の問題を解決するもので、この種の南京錠施錠式平面ハンドルにおいて、ユーザーが、ハンドルレバーを握ってこれを回す際に、ハンドルケースからのロックリングの突出をなくしてロックリングが手の指に当たらないようにし、ハンドル操作を安全かつ安心して行えるようにすること、を目的とする。
【課題を解決するための手段】
【０００７】
上記目的を達成するために、本発明は、
扉に固着されるハンドルケースと、前記ハンドルケースに回転可能に挿通されるハンドル軸に回動軸を介して前記ハンドルケースに対して起伏回動可能に装着されるハンドルレバーと、前記ハンドルケースの背面側に前記ハンドル軸を介して回転可能に取り付けられ、ボックス本体などの固定枠体側の受け金に対して係脱可能な止め金と、前記ハンドルケースと前記ハンドルレバーとの間に設けられて、一端のリング部が前記ハンドルレバーに形成されたロック穴から前記ハンドルレバーの外部に突出されるロックリング、及び前記ロックリングのリング部に掛けて施錠可能な南京錠とを備え、扉の開閉時に前記ハンドルレバーを前記ハンドルケースから引き起こして回転操作することにより前記止め金を前記受け金に対して係脱し、扉を閉めた後は前記ハンドルレバーを前記ハンドルケース上に倒伏して収納し、前記ハンドルレバーの前記ロック穴から前記ハンドルレバーの外部に突出される前記ロックリングのリング部に前記南京錠を掛けて、前記ハンドルケースと前記ハンドルレバーとを施錠する形式の南京錠施錠式平面ハンドルにおいて、
前記ハンドルレバーの前記ロック穴は前記ロックリングの回動により前記リング部が出没可能な大きさに形成され、
前記ハンドルケースの内部に前記ハンドルケースに倒伏、収納された状態の前記ハンドルレバーのロック穴に対向して受け部が形成され、
前記ロックリングは、一端に前記リング部を有し、他端に前記ハンドルケース側の前記受け部に係止可能なフック部を有し、前記ハンドルレバーの内側面で前記ロック穴に近接する位置に軸を介して回動可能に取り付けられて、前記リング部が前記ハンドルレバーの前記ロック穴から出没可能にかつ前記フック部が前記ハンドルケースの前記受け部に係脱可能に配置されるとともに、ばね部材により常態として前記フック部が前記受け部に係合可能に前記受け部に対する係合方向に、前記リング部が前記ロック穴から前記ハンドルレバーの外部に突出可能に前記ハンドルレバーの外部に向けて、それぞれ回動付勢され、
前記ハンドルレバーを前記ハンドルケースに倒伏、収納することにより、前記ロックリングの前記フック部と前記ハンドルケース内の前記受け部とを弾性係合させて、前記ハンドルケースに倒伏、収納された状態の前記ハンドルレバーを保持するとともに、前記リング部を前記ロック穴から前記ハンドルレバーの外部に突出させて、前記リング部に前記南京錠を施錠可能とし、
この状態から前記ハンドルレバーを引き起こして回転操作するときは、前記リング部を前記ロック穴に向けて押圧することにより、前記ロックリングの前記フック部と前記ハンドルケース内の前記受け部との弾性係合を解除して、前記ロックリングを前記ハンドルケースから切り離す、
ことを要旨とする。
また、この南京錠施錠式平面ハンドルでは、ロックリングは、略Ｌ字形に形成されて、一端にリング部が略円形のリング状に形成され、他端にフック部が略鉤形に形成されることが好ましい。
【発明の効果】
【０００８】
本発明の南京錠施錠式平面ハンドルによれば、上記のハンドルケース、ハンドルレバー及びロックリングの構成により、ハンドルレバーをハンドルケースに倒伏、収納することにより、ロックリングのフック部とハンドルケース内の受け部とを弾性係合させて、ハンドルケースに倒伏、収納された状態のハンドルレバーを保持するとともに、リング部をロック穴からハンドルレバーの外部に突出させて、リング部に南京錠を施錠可能とし、この状態からハンドルレバーを引き起こして回転操作するときは、リング部をロック穴に向けて押圧することにより、ロックリングのフック部とハンドルケース内の受け部との弾性係合を解除して、ロックリングをハンドルケースから切り離すようにしたので、ユーザーが、ハンドルレバーを握ってこれを回す際に、ハンドルケースからロックリングの突出をなくしてロックリングが手の指に当たらないようにすることができ、ハンドル操作を安全かつ安心して行うことができる、という本発明独自の格別な効果を奏する。
【図面の簡単な説明】
【０００９】
【図１】本発明の一実施の形態における南京錠施錠式平面ハンドルの外部構成を示す図（（ａ）は正面図（ｂ）は側面図）
【図２】同平面ハンドルの内部構成を示す図（側面断面図）
【図３】同平面ハンドルに用いる南京錠を示す図（（ａ）は正面図（ｂ）は側面図）
【図４】同平面ハンドルの使用例を示す図（側面断面図）
【図５】従来の南京錠施錠式平面ハンドルを示す図（正面図）
【発明を実施するための形態】
【００１０】
次に、この発明を実施するための形態について図を用いて説明する。図１乃至図４に南京錠施錠式平面ハンドル（以下、単に平面ハンドルという。）を示している。
【００１１】
図１及び図２に示すように、平面ハンドルＨは、扉に固着されるハンドルケース１と、ハンドルケース１に回転可能に挿通されるハンドル軸１３に回動軸１４を介してハンドルケース１に対して起伏回動可能に装着されるハンドルレバー２と、ハンドルケース１の背面側にハンドル軸１３を介して回転可能に取り付けられ、ハンドルレバー２の回動操作によりボックス本体などの固定枠体側の受け金（図示省略）に対して係脱可能な止め金３と、ハンドルケース１とハンドルレバー２との間に設けられて、一端のリング部４０がハンドルレバー２に形成されたロック穴２０からハンドルレバー２の外部に突出されるロックリング４、及びロックリング４のリング部４０に掛けて施錠可能な南京錠５とを備え、扉の開閉時にハンドルレバー２をハンドルケース１から引き起こして回転操作することにより止め金３を受け金に対して係脱し、扉を閉めた後はハンドルレバー２をハンドルケース１上に倒伏して収納し、ハンドルレバー２のロック穴２０からハンドルレバー２の外部に突出されるロックリング４のリング部４０に南京錠５を掛けて、ハンドルケース１とハンドルレバー２とを施錠する形式になっている。
【００１２】
この平面ハンドル装置Ｈでは、ハンドルケース１は、正面に開口１０を有する縦に細長いボックス形に形成され、開口１０全周縁に外側に向けてフランジ１１が張り出されている。ハンドルケース１の内部上部には、扉の前面と直角に軸受孔１２が形成され、この軸受孔１２にハンドル軸１３が前後方向に移動不能に嵌挿される。なお、ハンドル軸１３の後端部は角軸部になっている。また、このハンドルケース１の内部下部には、後述するハンドルレバー２下部のロックリング取付部２２のためのロックリング取付部収納部１５が背面から後方に向けて突出する凹状に形成され、このロックリング取付部収納部１５にハンドルケース１に倒伏、収納された状態のハンドルレバー２の後述するロック穴２０に対向して受け部１６が後述するロックリング４のフック部４１に係止可能に形成される。この場合、受け部１６は、断面略Ｌ字形をなす係止ブロックで、垂直方向に延びる平板状の取付部１６１と、取付部１６１の一方の面の下半部に略コ字形の溝状に突出される受け座１６２とからなる。なお、受け部１６の受け座１６２は受け座１６２の底面が取付部１６１側から漸次下方傾斜する傾斜面になっている。この受け部１６は、取付部１６１がハンドルケース１の内部でロックリング取付部収納部１５の上部に取付ねじにより取り付けられて、受け座１６２がロックリング取付部収納部１５内の上部に突出配置される。
【００１３】
ハンドルレバー２はハンドルケース１の開口１０内に嵌合して収納可能に縦に細長い板状に形成される。この場合、ハンドルレバー２の下端部はハンドルケース１の下端部よりも下方に少し延ばされる。また、ハンドルレバー２の背面側の上部にはハンドルレバー２をハンドルケース１側のハンドル軸１３に枢着するための凹部２１が形成される。そして、ハンドルレバー２の上下方向やや下部側にロックリング４を通すためのロック穴２０が穿たれ、このハンドルレバー２の内側面でロック穴２０に近接する位置にロックリング取付部２２が設けられ、このロックリング取付部２２にロックリング４が装着される。この場合、ロック穴２０は、縦に長い長方形で、ロックリング４の回動により（言い換えれば、ロックリング４がハンドルレバー２の内側面でロック穴２０の直下を回動中心にして前後方向に向けて回動された場合に）リング部４０が出没可能な大きさに形成される。ロックリング取付部２２はハンドルレバー２の内側面でロック穴２０の直下に略コ字形の溝形形状に後方に向けて突出して形成され、両側面の所定の位置にそれぞれピン挿通部（図示省略）が穿たれる。ロックリング４は、一端にリング部４０を有し、他端にハンドルケース１側の受け部１６に係止可能なフック部４１を有し、ハンドルレバー２の内側面でロック穴２０に近接する位置にピン（軸）２２１を介して回動可能に取り付けられて、リング部４０がハンドルレバー２のロック穴２０から出没可能にかつフック部４１がハンドルケース１の受け部１６に係脱可能に配置されるとともに、ばね部材２３により常態としてフック部４１が受け部１６に係合可能に受け部１６に対する係合方向に、リング部４０がロック穴２０からハンドルレバー２の外部に突出可能にハンドルレバー２の外部に向けて、それぞれ回動付勢される。この場合、ロックリング４は、略Ｌ字形に形成されて、一端にリング部４０が略円形のリング状に形成され、他端にフック部４１が略鉤形に形成され、中間部にピン挿通部４２が穿たれる。このロックリング４はリング部４０がロック穴２０内に配置され、フック部４１がロックリング取付部２２のハンドルレバー２側とは反対の開口端部側に配置されて、ロックリング取付部２２に設置され、ロックリング取付部２２両側面のピン挿通部の一方から通されたピン２２１がロックリング４のピン挿通部４２に
挿通されて、ピン挿通部の他方に通されて取り付けられ、ばね部材２３としてコイルスプリングがピン２２１に巻き付けられて一端をロックリング４の他端側でフック部４１とは反対側の縁部に係止され、他端がロックリング取付部２２の底面に係止されて、常態として、フック部４１が受け部１６に係合可能に受け部１６に対する係合方向に、リング部４０がロック穴２０からハンドルレバー２の外部に突出可能にハンドルレバー２の外部に向けて、それぞれ回動付勢される。このハンドルレバー２は、背面側上端部の凹部２１に、ハンドル軸１３の前端部が遊び空間を残して挿入され、扉の前面と平行な回動軸１４によってハンドル軸１３の前端部に枢着される。
このようにしてハンドルレバー２をハンドルケース１に対して所定角度の斜めに引き起こし、この引き起こし状態において、ユーザーがハンドルレバー２を握って回動操作することにより、ハンドルレバー２と一体にハンドル軸１３が回転するようになっている。また、ハンドルレバー２の下端部がハンドルケース１の下端部の前面側で下方に突出されて、ユーザーがハンドルレバー２をハンドルケース１から引き出して回転させるときに、ユーザーの指先が掛かり易くなっている。
【００１４】
止め金３は横に長い角丸の略長方形でかつ一端の下部及び横方向中央部の上部にそれぞれ半円形の凸部を有する平板状に形成され、その一端に近接してハンドルケース１のハンドル軸１３の角軸に対応して角形の軸穴が形成される。この止め金３はハンドルケース１の角軸に回転角度制御板を介して嵌め込まれ、さらに座金が嵌め込まれて、ボルトによって締付け固定される。このようにしてハンドルレバー２を斜めに引き起こし所定の開方向に回すことにより、ハンドルレバー２とハンドル軸１３の間の回動軸１４を介してハンドル軸１３を同方向に一体に回転して、止め金３を固定枠体側の受け金に係合し、ハンドルレバー２をこれとは反対の閉方向に回すと、回動軸１４を介してハンドル軸１３を同方向に一体に回転して、止め金３を固定枠体側の受け金から離脱するようになっている。
【００１５】
なお、図３にこの平面ハンドルの施錠に用いる南京錠を示している。この南京錠５は一般に知られている汎用品で、シャックル５１をロックリング４のリング部４０に通し、本体側のロック部５０に押し込んで施錠する形式になっている。
【００１６】
平面ハンドルＨはかかる構成を備え、ハンドルケース１がパッキン１７を介して扉の縦長の受孔に扉正面側から嵌め込まれ、ハンドルケース１の背面に取付板１８が配置され取付ねじ１９が締結されて扉に締付け固定されることにより、扉に取り付けられる。
【００１７】
図４にこの平面ハンドルＨの使用例を示している。
扉の開閉時は、図４（１）に示すように、ハンドルレバー２をハンドルケース１から引き起こして回転操作することにより止め金３を受け金に対して係脱する。そして、扉を閉めた後は、図４（１）−図４（５）に示すように、ハンドルレバー２をハンドルケース１上に倒伏して収納する。この場合、図４（２）−図（５）に示すように、ハンドルレバー１をハンドルケース２に倒伏、収納することにより、この間、ハンドルレバー２側のロックリング４のフック部４１がハンドルケース１側の受け部１６の受け座１６２の外側面の取付部１６１側端部に当接し、ロックリング４は全体がコイルスプリング２３を圧縮しながらロック穴２０内のリング部４０側をハンドルケース１側に向けて回動されてフック部４１が受け座１６２の取付部１６１側端部から反対側の開口端部側まで摺動案内され、このフック部４１が受け座１６２の外側面を乗り超えたところで、コイルスプリング２３の付勢力によりロックリング４全体がロック穴２０内のリング部４０側をロック穴２０の外側に向けて回動されるとともに、ロックリング４のフック部４１が受け部１６の受け座１６２の内側面に弾性係合されて、ハンドルケース１に倒伏、収納された状態のハンドルレバー２が保持され、同時に、リング部４０がハンドルレバー２のロック穴２０からハンドルレバー２の外部に突出され、リング部４０に南京錠５を掛けて施錠可能となる。したがって、この平面ハンドルＨを施錠する場合は、ロックリング４のリング部４０に南京錠５を掛けて、すなわち、南京錠５のシャックル５１をリング部４０に通し、本体側のロック５０部に押し込んで施錠し、ハンドルケース１とハンドルレバー２とを施錠する。
また、この平面ハンドルＨが南京錠５により施錠された状態から南京錠５を取り外してハンドルレバー２を引き起こし回転操作するときは、南京錠５をキーにより解錠してロックリング４のリング部４０から取り外し、図４（５）、（４）に示すように、リング部４０を（コイルスプリング２３の付勢力に抗して）ロック穴２０に対して少し斜め上に向けて押してロックリング４を押圧回動することにより、ロックリング４のフック部４１とハンドルケース１内の受け部１６の受け座１６２との弾性係合が解除されて、ロックリング４がハンドルケース１から切り離される。この状態から、図４（３）−（１）に示すように、ハンドルレバー２を引き起こして、ハンドルレバー２を回転すればよい。そして、このハンドルレバー２を回転操作するときは、ロックリング４はハンドルケース１から切り離されてハンドルレバー２側にあるので、従来のようなハンドルケースからのロックリングの突出をなくして、ハンドルレバー２の回転操作中にロックリング４が手の指に当たることがない。
【００１８】
以上説明したように、この平面ハンドルＨでは、既述のとおり、ハンドルレバー２にロック穴２０が形成され、ハンドルケース１の内部に受け部１６が形成され、ロックリング４は、略Ｌ字形に形成されて、一端にリング部４０を有し、他端にフック部４１を有し、ハンドルレバー２の内側面でロック穴２０の直下のロックリング取付部２２にピン２２１を介して回動可能に取り付けられて、リング部４０がハンドルレバー２のロック穴２０から出没可能にかつフック部４１がハンドルケース１の受け部１６に係脱可能に配置されるとともに、コイルスプリング２３により常態としてフック部４１が受け部１６に対して係合方向に、リング部４０がロック穴２０の外部に向けて、それぞれ回動付勢されており、ハンドルレバー２をハンドルケース１に倒伏、収納することにより、ロックリング４のフック部４１とハンドルケース１内の受け部１６とを弾性係合させて、ハンドルケース１に倒伏、収納された状態のハンドルレバー２を保持するとともに、リング部４０をロック穴２０からハンドルレバー２の外部に突出させて、リング部４０に南京錠５を施錠可能とし、この状態からハンドルレバー２を引き起こして回転操作するときは、リング部４０をロック穴２０に向けて押圧することにより、フック部４１と受け部１６との弾性係合を解除して、ロックリング４をハンドルケース１から切り離すようにしたので、ユーザーが、ハンドルレバー２を握ってこれを回すときに、ハンドルケース１からのロックリング４の突出をなくしてロックリング４が手の指に当たらないようにすることができ、ハンドル操作を安全かつ安心して行うことができる。
【００１９】
なお、この実施の形態では、ロックリング４のリング部４０を略円形のリング状に形成したが、リング部４０に南京錠５のシャックル５１を通して施錠できるものであれば、リング部４０の形状は任意である。また、フック部４１、受け部１６の形状も同様で、フック部４１と受け部１６の係止状態を作出することができる限り、その形状は任意である。
【符号の説明】
【００２０】
Ｈ  南京錠施錠式平面ハンドル
１  ハンドルケース
１０  開口
１１  フランジ
１２  軸受孔
１３  ハンドル軸
１４  回動軸
１５  ロックリング取付部収納部
１６  受け部
１６１  取付部
１６２  受け座
１７  パッキン
１８  取付板
１９  取付ねじ
２  ハンドルレバー
２０  ロック穴
２１  凹部
２２  ロックリング取付部
２２１  ピン（軸）
２３  ばね部材（コイルスプリング）
３  止め金
４  ロックリング
４０  リング部
４１  フック部
４２  ピン挿通部
５  南京錠
５０  ロック部
５１  シャックル
【図１】
0006587836.tif 000002
【図２】
0006587836.tif 000003
【図３】
0006587836.tif 000004
【図４】
0006587836.tif 000005
【図５】
0006587836.tif 000006